【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
電子銃と、電子銃を保持する陰極部材と、を有した陰極と、電子の照射を受けてＸ線を発生する透過型ターゲットと前記透過型ターゲットを保持する陽極部材と、を有した陽極と、管軸方向における一端と他端とがそれぞれ前記陰極と前記陽極に接続される絶縁管と、管径方向において前記絶縁管の外側に位置し、管軸方向において前記電子放出部と前記ターゲット層との間に配置される磁気偏向部と、管軸方向において前記磁気偏向部より前記透過型ターゲットの側に位置し、管径方向において前記磁気偏向部より内側に位置する部分を有する磁気シールド部と、を備えることを特徴とするＸ線発生管。
【請求項２】
前記磁気シールド部は、管軸方向から見たときに、管径方向において前記磁気偏向部と重なる部分をさらに有することを特徴とする請求項１に記載のＸ線発生管。
【請求項３】
前記磁気シールド部の透磁率μ［Ｈ／ｍ］と、管軸方向における厚さｄ［ｍ］を与えたとき、
積μ×ｄ［Ｈ］は、１×１０−８以上１×１０−４以下の範囲であることを特徴とする請求項１または２に記載のＸ線発生管。
【請求項４】
前記磁気シールド部の比透磁率は、１０以上であることを特徴とする請求項１乃至３のいずれか１項に記載のＸ線発生管。
【請求項５】
前記磁気シールド部は、鉄、コバルト、ニッケルから少なくともいずれか１が選択された磁性金属、磁性金属の珪素鋼、磁性金属の炭素鋼、磁性ステンレス、フェライト、パーマロイのいずれかを含むことを特徴とする請求項１乃至４のいずれか１項に記載のＸ線発生管。
【請求項６】
前記磁気偏向部は、フェライト磁石、アルニコ磁石（Ａｌ・Ｎｉ・Ｃｏ）、サマリウムコバルト磁石、ネオジム磁石、および、電磁石のいずれかを少なくとも備えることを特徴とする請求項１乃至５のいずれか１項に記載のＸ線発生管。
【請求項７】
前記磁気偏向部は、管周方向に所定のピッチで複数配置されていることを特徴とする請求項１乃至６のいずれか１項に記載のＸ線発生管。
【請求項８】
前記絶縁管の管外であって、管軸方向において前記陰極と前記陽極との間に、前記磁気偏向部を支持する偏向部支持体をさらに備えることを特徴とする請求項１乃至７のいずれか１項に記載のＸ線発生管。
【請求項９】
前記偏向部支持体は、前記磁気偏向部が配置される部分を複数、有していることを特徴とする請求項８に記載のＸ線発生管。
【請求項１０】
前記偏向部支持体は、前記絶縁管の管軸中心に対して同軸に回転されるように配置されていることを特徴とする請求項８または９に記載のＸ線発生管。
【請求項１１】
前記偏向部支持体は、０．９９以上１．０１以下の範囲の比透磁率を有していることを特徴とする請求項８乃至１０のいずれか１項に記載のＸ線発生管。
【請求項１２】
前記偏向部支持体は、常磁性または反磁性を呈する材料であることを特徴とする請求項８乃至１１のいずれか１項に記載のＸ線発生管。
【請求項１３】
前記偏向部支持体は、モリブデン、タングステン、非磁性のステンレス、銅、銀の少なくともいずれかを含むことを特徴とする請求項８乃至１２のいずれか１項に記載のＸ線発生管。
【請求項１４】
前記透過型ターゲットは、電子の照射によりＸ線を発生するターゲット層と、前記ターゲット層を支持し前記ターゲット層で発生したＸ線を通過させる支持基板と、を備えていることを特徴とする請求項１乃至１３のいずれか１項に記載のＸ線発生管。
【請求項１５】
前記電子銃は、電子放出部と、前記電子放出部から放出された電子を所定の電子線束に集束する静電レンズ電極と、を有していることを特徴とする請求項１乃至１４のいずれか１項に記載のＸ線発生管。
【請求項１６】
請求項１乃至１５のいずれか１項に記載のＸ線発生管と、
前記陽極と前記陰極に電圧を印加する駆動回路と、
前記Ｘ線発生管と前記駆動回路とを収納する収納容器と、
を備えることを特徴とするＸ線発生装置。
【請求項１７】
請求項１６に記載のＸ線発生装置と、
前記Ｘ線発生装置から放出され、被検体を透過したＸ線を検出するＸ線検出器と、
前記Ｘ線発生装置と前記Ｘ線検出器とを、連携して制御する制御ユニットと、
を備えることを特徴とするＸ線撮影システム。
【請求項１８】
電子銃と、電子銃を保持する陰極部材と、有した陰極と、電子の照射を受けてＸ線を発生する透過型ターゲットと前記透過型ターゲットを保持する陽極部材と、を有した陽極と、管軸方向における一端と他端とがそれぞれ前記陰極と前記陽極に接続される絶縁管と、を備えたＸ線発生管と、
管径方向において前記絶縁管の外側に位置し、管軸方向において前記陰極と前記陽極との間に配置される磁気偏向部と、管軸方向において前記磁気偏向部より前記陽極の側に位置し、管径方向において前記磁気偏向部より内側に位置する部分を有する磁気シールド部と、前記Ｘ線発生管と前記シールド部とを収納する収納容器と、を備え、前記磁気シールド部は、前記収納容器に固定されていることを特徴とするＸ線発生装置。
【請求項１９】
前記磁気偏向部は、前記収納容器に固定されていることを特徴とする請求項１８に記載のＸ線発生装置。
【請求項２０】
請求項１８または１９に記載のＸ線発生装置と、
前記Ｘ線発生装置から放出され、被検体を透過したＸ線を検出するＸ線検出器と、
前記Ｘ線発生装置と前記Ｘ線検出器とを、連携して制御する制御ユニットと、
を備えることを特徴とするＸ線撮影システム。
【請求項２１】
電子銃と、電子銃を保持する陰極部材と、を有した陰極と、電子の照射を受けてＸ線を発生する透過型ターゲットと前記透過型ターゲットを保持する陽極部材と、を有した陽極と、管軸方向における一端と他端とがそれぞれ前記陰極と前記陽極に接続される絶縁管と、管径方向において前記絶縁管の外側に位置し、管軸方向において前記電子放出部と前記ターゲット層との間に配置される磁気偏向部と、管軸方向において前記磁気偏向部より前記透過型ターゲットの側に位置し、管径方向において前記磁気偏向部より前記絶縁管の管軸中心に近い側に位置する部分を有する磁気シールド部と、を備えることを特徴とするＸ線発生管。
【請求項２２】
請求項２１に記載のＸ線発生管と、前記Ｘ線発生管を収納する収納容器と、を備えることを特徴とするＸ線発生装置。
【手続補正２】
【補正対象書類名】明細書
【補正対象項目名】０００８
【補正方法】変更
【補正の内容】
【０００８】
本発明の第一に係るＸ線発生管は、電子放出部と静電レンズ電極とを有した電子銃を備えた陰極と、ターゲット層と前記ターゲット層を支持し、前記ターゲット層で発生したＸ線を通過させる支持基板とを備えた陽極と、管軸方向における一端と他端とがそれぞれ前記陰極と前記陽極に接続される絶縁管と、管径方向において前記絶縁管の外側に位置し、管軸方向において前記電子放出部と前記ターゲット層との間に配置される磁気偏向部と、を備え、管軸方向において前記磁気偏向部より前記陽極の側に位置し、管径方向において前記磁気偏向部より内側に位置する部分を有する磁気シールド部をさらに備えることを特徴とするものである。
また、本発明の第二に係るＸ線発生管は、電子銃と、電子銃を保持する陰極部材と、を有した陰極と、電子の照射を受けてＸ線を発生する透過型ターゲットと前記透過型ターゲットを保持する陽極部材と、を有した陽極と、管軸方向における一端と他端とがそれぞれ前記陰極と前記陽極に接続される絶縁管と、管径方向において前記絶縁管の外側に位置し、管軸方向において前記電子放出部と前記ターゲット層との間に配置される磁気偏向部と、管軸方向において前記磁気偏向部より前記透過型ターゲットの側に位置し、管径方向において前記磁気偏向部より前記絶縁管の管軸中心に近い側に位置する部分を有する磁気シールド部と、を備えることを特徴とするものである。
【手続補正３】
【補正対象書類名】明細書
【補正対象項目名】０００９
【補正方法】変更
【補正の内容】
【０００９】
さらに、本発明の第三に係るＸ線発生装置は、電子銃と、電子銃を保持する陰極部材と、有した陰極と、電子の照射を受けてＸ線を発生する透過型ターゲットと前記透過型ターゲットを保持する陽極部材と、を有した陽極と、管軸方向における一端と他端とがそれぞれ前記陰極と前記陽極に接続される絶縁管と、を備えたＸ線発生管と、
管径方向において前記絶縁管の外側に位置し、管軸方向において前記陰極と前記陽極との間に配置される磁気偏向部と、管軸方向において前記磁気偏向部より前記陽極の側に位置し、管径方向において前記磁気偏向部より内側に位置する部分を有する磁気シールド部と、前記Ｘ線発生管と前記シールド部とを収納する収納容器と、を備え、前記磁気シールド部は、前記収納容器に固定されていることを特徴とするものである。